(57)【要約】  本発明は、非適応再送信で使用される方法および装置を提供する。この方法は、再送信要求に応答して、再送信に関するアップリンクＵＬ復調基準信号ＤＭ−ＲＳを構成するステップを含む。一実施形態では、復調基準信号ＤＭ−ＲＳは、初期送信に関する復調基準信号と同一になるように構成される。もう１つの実施形態では、復調基準信号ＤＭ−ＲＳは、初期送信に関する所定のルールに従って再送信のレイヤ（１つまたは複数）の個数に関して構成される。
2013537767.tif 000002
【特許請求の範囲】
【請求項１】
再送信要求に応答して、再送信に関するアップリンクＵＬ復調基準信号ＤＭ−ＲＳを構成するステップ
を含む、非適応再送信で使用される方法。
【請求項２】
前記構成するステップは、
初期送信に関する復調基準信号と同一になるように前記復調基準信号ＤＭ−ＲＳを構成するステップ
を含む、請求項１に記載の方法。
【請求項３】
前記構成するステップは、
前記初期送信に関する所定のルールに従って再送信での送信状況に関して前記復調基準信号ＤＭ−ＲＳを構成するステップ
を含む、請求項１に記載の方法。
【請求項４】
前記再送信での前記送信状況は、再送信に関するレイヤの個数を含む、請求項３に記載の方法。
【請求項５】
ダウンリンク制御情報ＤＣＩ内で循環シフト・インジケータＣＳＩを受信するステップであって、前記循環シフト・インジケータＣＳＩは、初期送信に関する最初のレイヤの前記復調基準信号の構成を示す、ステップと、
前記受信された循環シフト・インジケータＣＳＩに基づいて、前記初期送信に関する前記所定のルールに従って前記初期送信の残りのレイヤ（１つまたは複数）の復調基準信号の構成を導出するステップと
をさらに含む、請求項２または３に記載の方法。
【請求項６】
ダウンリンク制御情報ＤＣＩ内で循環シフト・インジケータＣＳＩを受信するステップであって、前記循環シフト・インジケータＣＳＩは、初期送信に関する最初のレイヤの前記復調基準信号の構成を示す、ステップ
をさらに含み、前記構成するステップは、
前記受信された循環シフト・インジケータＣＳＩに基づいて、前記初期送信に関する前記所定のルールに従って再送信に関するレイヤ（１つまたは複数）の個数に関して再送信のレイヤ（１つまたは複数）の復調基準信号の構成を導出するステップ
をさらに含む、請求項４に記載の方法。
【請求項７】
前記構成するステップは、前記復調基準信号ＤＭ−ＲＳの循環シフトＣＳおよび直交カバー・コードＯＣＣを構成するステップを含む、請求項１乃至６のいずれか１項に記載の方法。
【請求項８】
再送信要求に応答して、再送信に関するアップリンクＵＬ復調基準信号ＤＭ−ＲＳを構成する構成手段
を含む、非適応再送信で使用される装置。
【請求項９】
前記構成手段は、初期送信に関する復調基準信号と同一になるように前記復調基準信号ＤＭ−ＲＳを構成するために使用される、請求項８に記載の装置。
【請求項１０】
前記構成手段は、前記初期送信に関する所定のルールに従って再送信での送信状況に関して前記復調基準信号ＤＭ−ＲＳを構成するために使用される、請求項８に記載の装置。
【請求項１１】
前記再送信での前記送信状況は、再送信に関するレイヤの個数を含む、請求項１０に記載の装置。
【請求項１２】
ダウンリンク制御情報ＤＣＩ内で循環シフト・インジケータＣＳＩを受信する受信する手段であって、前記循環シフト・インジケータＣＳＩは、初期送信に関する最初のレイヤの前記復調基準信号の構成を示す、手段
をさらに含み、前記構成する手段は、前記受信された循環シフト・インジケータＣＳＩに基づいて、前記初期送信に関する前記所定のルールに従って前記初期送信の残りのレイヤ（１つまたは複数）の復調基準信号の構成を導出するためにさらに使用される
請求項９または１０に記載の装置。
【請求項１３】
ダウンリンク制御情報ＤＣＩ内で循環シフト・インジケータＣＳＩを受信する受信する手段であって、前記循環シフト・インジケータＣＳＩは、初期送信に関する最初のレイヤの前記復調基準信号の構成を示す、手段
をさらに含み、前記構成する手段は、
前記受信された循環シフト・インジケータＣＳＩに基づいて、前記初期送信に関する前記所定のルールに従って再送信に関するレイヤ（１つまたは複数）の個数に関して前記再送信のレイヤ（１つまたは複数）の復調基準信号の構成を導出するために使用される
請求項１１に記載の装置。
【請求項１４】
前記構成する手段は、前記復調基準信号ＤＭ−ＲＳの循環シフトＣＳおよび直交カバー・コードＯＣＣを構成するために使用される、請求項８乃至１３のいずれか１項に記載の装置。
【発明の詳細な説明】
【技術分野】
【０００１】
本発明の例示的で非限定的な実施形態は、全般的には無線通信システム、方法、装置、およびコンピュータ・プログラムに関し、より具体的にはアップリンクでの非適応再送信（ｎｏｎ−ａｄａｐｔｉｖｅ  ｒｅｔｒａｎｓｍｉｓｓｉｏｎ）に関する。
【背景技術】
【０００２】
３ＧＰＰロング・ターム・エボリューションＬＴＥ技術は、より高いデータ・レート、より短い遅延、より低いコスト、より高いシステム容量、および改善されたカバレージ・スコープを達成することを目指す。複数入力複数出力ＭＩＭＯ技術は、周波数スペクトル効率の向上における非常に重要な技術である。
【０００３】
ＭＩＭＯ無線通信システムでは、送信器と受信器との両方が、アンテナ・アレイを使用し、これによって、豊かな空間ダイバーシティおよび大きい通信容量を提供する。空間多重化は、ＭＩＭＯ通信システムで使用される一般的な時空間変調技法であり、空間多重化では、独立のデータ・ストリームが、異なる送信するアンテナを介して送信される。
【０００４】
ＬＴＥ−Ａでは、アップリンクは、単一ユーザＭＩＭＯ（ＳＵ−ＭＩＭＯ）をサポートする、すなわち、アップリンクは、複数のアンテナの送信をサポートする。これは、受信端でレイヤごとにチャネル推定を実行できるようにするために、一緒に多重化されるすべての空間レイヤについて複数のアップリンクＵＬ復調基準信号（ｄｅｍｏｄｕｌａｔｉｏｎ  ｒｅｆｅｒｅｎｃｅ  ｓｉｇｎａｌ）（ＤＭ−ＲＳ）を提供することを必要とする。基準信号ＲＳは、一般に「パイロット信号」と呼ばれるが、チャネル推定、同期化、またはチャネル検出のために送信端によって受信端に提供される既知の信号である。この技術用語が暗示するように、アップリンクＵＬ復調基準信号ＤＭ−ＲＳは、データ復調の基準として使用され、これによって、推定が、ＵＬ  ＤＭ−ＲＳを使用することによって、位相および振幅などのチャネル・パラメータに関して実行され、これによって、アップリンク上で送信されたデータを正しく復調することができる。
【０００５】
３ＧＰＰ  ＲＡＮ１  ＃５７会合で、次のＤＭ−ＲＳ多重化原理が、アップリンク空間多重化のサポートに関して合意されている。
−パイロット・シンボルに関する異なる循環シフトＣＳの実行が、主多重化機構として働き、
−同一データ・フレームの異なるタイム・スロットの間の異なる直交カバー・コード（ｏｒｔｈｏｇｏｎａｌ  ｃｏｖｅｒ  ｃｏｄｅ）ＯＣＣの多重化が、相補的な多重化機構として働く。
【０００６】
すべてのアップリンクＤＭ−ＲＳが、同一の形の基準信号シーケンスを有する。ＬＴＥシステムのアップリンクＤＭ−ＲＳシーケンスを、ベース・シーケンス＋循環シフトによって定義することができる。異なる量の循環シフトが、あるベース・シーケンスに使用され、複数の基準信号シーケンスを定義することができる。
【０００７】
最適の直交性を、ＤＭ−ＲＳ多重化に関するＯＣＣと一緒にＣＳを使用することによって、異なる基準信号ＲＳの間で提供することができ、これによって、最適性能が提供される。
【０００８】
しかし、空間多重化は、チャネルの悪条件に極端に敏感である。したがって、ハイブリッド自動再送要求ＨＡＲＱ機構が、送信の正しさを保証するために使用される。ＨＡＲＱを、再送信時のデータ特性が変化するかどうかに依存して、２つのタイプすなわち適応再送信および非適応再送信に分類することができる。データ特性は、リソース・ブロックの割当、変調モード、送信ブロックの長さ、送信の持続時間などを含む。
【０００９】
適応再送信は、各再送信手順で、送信端が、実際のチャネル状態情報に従って部分的な送信パラメータを変更でき、したがって、関連する制御シグナリングからのサポートが必要であることを意味する。
【００１０】
非適応再送信では、これらの送信パラメータは、既に、受信端に前もって既知である、すなわち、送信端および受信端は、初期送信の前に情報を与えられる。したがって、非適応システムは、対応する制御シグナリングのサポートを必要としない。
【００１１】
アップリンクの複雑さのゆえに、および他のセル内のユーザからの干渉が不確かなので、基地局は、各ユーザの実際のＳＩＮＲ値を正確に推定することができない。したがって、３ＧＰＰ  ＬＴＥシステムは、アップリンクでの非適応ＨＡＲＱ技術の使用を許容する。
【００１２】
現在のＬＴＥ−Ａ標準化手順では、アップリンクでの非適応ＨＡＲＱ技術は、まだ議論中および調査中である。現在までに、ユーザ機器ＵＥがアップリンクで再送信を実行する時にＤＭ−ＲＳ（１つまたは複数）をどのように構成すべきかに関する対応する解決策は、まだ提供されていない。
【発明の概要】
【発明が解決しようとする課題】
【００１３】
上記に鑑みて、本発明の実施形態は、明示的シグナリングがない場合すなわち非適応システムで、ユーザ機器ＵＥが再送信を実行する時のＤＭ−ＲＳ（１つまたは複数）の構成に関する解決策を提供する。
【課題を解決するための手段】
【００１４】
本発明の例示的態様によれば、再送信要求に応答して、再送信に関するアップリンクＵＬ復調基準信号ＤＭ−ＲＳを構成するステップを含む、非適応再送信で使用される方法が提供される。
【００１５】
第１の実施形態では、復調基準信号ＤＭ−ＲＳを、初期送信に関する復調基準信号と同一になるように構成することができる。
【００１６】
第２の実施形態では、復調基準信号ＤＭ−ＲＳを、初期送信に関する所定のルールに従って再送信での送信状況に関して構成することができ、再送信での送信状況は、再送信に関するレイヤ（１つまたは複数）の個数とすることができる。
【００１７】
さらに、上の第２の実施形態では、ダウンリンク制御情報ＤＣＩ内で循環シフト・インジケータＣＳＩが受信され、循環シフト・インジケータＣＳＩは、初期送信に関する最初のレイヤの復調基準信号の構成を示し、再送信のレイヤ（１つまたは複数）の復調基準信号の構成は、受信された循環シフト・インジケータＣＳＩに基づいて、初期送信に関する所定のルールに従って再送信のレイヤ（１つまたは複数）の個数に関して導出される。
【００１８】
さらに、復調基準信号ＤＭ−ＲＳを構成するステップは、ＤＭ−ＲＳの循環シフトＣＳおよび直交カバー・コードＯＣＣを構成するステップを含む。
【００１９】
本発明のもう１つの例示的態様によれば、再送信要求に応答して、再送信に関するアップリンクＵＬ復調基準信号ＤＭ−ＲＳを構成する構成手段を含む、非適応再送信で使用される装置が提供される。
【００２０】
第１の実施形態では、構成手段は、初期送信に関する復調基準信号と同一になるように復調基準信号ＤＭ−ＲＳを構成するために使用され得る。
【００２１】
第２の実施形態では、構成手段は、初期送信に関する所定のルールに従って再送信での送信状況に関して復調基準信号ＤＭ−ＲＳを構成するために使用され得、再送信での送信状況は、再送信に関するレイヤ（１つまたは複数）の個数とすることができる。
【００２２】
さらに、第２の実施形態では、この装置は、ダウンリンク制御情報ＤＣＩ内で循環シフト・インジケータＣＳＩを受信する受信する手段であって、循環シフト・インジケータＣＳＩは、初期送信に関する最初のレイヤの基準復調信号の構成を示す、手段をさらに含み、構成する手段は、受信された循環シフト・インジケータＣＳＩに基づいて、初期送信に関する所定のルールに従って再送信のレイヤ（１つまたは複数）の個数に関する再送信のレイヤ（１つまたは複数）の復調基準信号の構成を導出するためにさらに使用される。
【００２３】
本発明の他の態様は、上記方法を実施するコンピュータ・プログラム製品および上記プログラムを格納する記憶媒体をさらに含むことができる。
【００２４】
本発明の実施形態は、明示的シグナリングなしの再送信時のアップリンク基準信号の構成解決策を有する非適応再送信システムを提供する。
【００２５】
本発明の第１の実施形態は、標準化努力を必要とせずに実施するのが単純である。本発明の第２の実施形態は、異なるレイヤの間の最大ＲＳ分離を入手することができる。第２の実施形態は、標準化努力を必要とし、再送信に関するＯＣＣおよびＣＳを更新するための多少の処理の複雑さを有する。しかし、そのようなコストは、無視することができる。さらに、最適化されたＤＭ−ＲＳ構成およびＣＳＩのマッピング・テーブルが、ＭＵ−ＭＩＭＯについて定義される。マッピング・テーブルが、第２の実施形態と組み合わされる時には、同一のＯＣＣが、同一ＵＥ内の２つのレイヤについて使用され、おそらくは、異なるＯＣＣが、ＭＵ−ＭＩＭＯ内の２つのＵＥについて割り当てられることを保証することができる。これは、ＤＭ−ＲＳの直交性を増やし、特に、ＭＵ−ＭＩＭＯの不均等な帯域幅割当に対して適合される。
【００２６】
本発明の上で言及された態様および他の態様は、図面と組み合わせて次の詳細な説明を読む時に、より明瞭および明らかになる。
【図面の簡単な説明】
【００２７】
【図１】本発明を実施できる無線通信システム環境の例を示す図である。
【図２】本発明の実施形態による方法を示す例示的な論理流れ図である。
【図３】本発明の実施形態に従って本発明を実施する装置を示す例示的なブロック図である。
【発明を実施するための形態】
【００２８】
上記の図面のすべてにおいて、同一の符号は、同一の、類似する、または対応する特徴または機能を表す。
【００２９】
本発明の特定の実施形態を、図面を参照して例示的に詳細に説明する。
【００３０】
図１を参照すると、この図には、本発明を実施できる無線通信システム環境１００の例が示されている。図１に示されているように、無線通信システム環境１００は、基地局ＢＳ１０１と、複数のユーザ機器ＵＥ１０２−１、１０２−２、…１０２−Ｌとを含むことができ、Ｌは、１以上の整数である。基地局ＢＳ１０１は、Ｍ個の送信するアンテナおよび受信するアンテナを有し、ユーザ機器ＵＥ１０２−１、１０２−２、…１０２−Ｌのそれぞれは、Ｎ個の送信するアンテナおよび受信するアンテナを有し、ＭとＮとの両方は、１より大きい。さまざまな実施形態では、基地局ＢＳ１０１は、ＬＴＥシステムおよびＬＴＥ−ＡシステムでｅＮＢとも呼ばれる。次のテキストでの説明では、さまざまな実施形態は、例示的な説明のために基地局ｅＮＢおよびユーザ機器ＵＥを使用する。
【００３１】
ＬＴＥシステムでは、ＭＩＭＯ空間多重化は、通常、２つの部分すなわちレイヤ・マッピングおよびプリコーディングによって実現される。基本的に、１つのレイヤは、１つの空間多重化チャネルに対応する。レイヤの最大個数を、コード・ストリームの個数とも呼び、これは、ＭＩＭＯチャネルの自由度と等しい。ＭＩＭＯのレイヤの個数を、ＭＩＭＯシステムのランクとも呼ぶ。複数の送信するアンテナ・ポートに関して、ランクは、アンテナの個数以下である。ＭＩＭＯ符号語は、それぞれチャネル符号化および変調のためのものであり、単一のレイヤまたは複数のレイヤ上での送信のために情報ブロックに変換される。
【００３２】
ＭＩＭＯ技術は、単一ユーザＭＩＭＯ  ＳＵ−ＭＩＭＯおよびマルチユーザＭＩＭＯ  ＭＵ−ＭＩＭＯに分類される。ＳＵ−ＭＩＭＯは、ｅＮＢが、ある瞬間に１つのユーザだけにサービスし、そのユーザが、空間多重化のために複数の送信するアンテナおよび受信するアンテナを有することを意味する。ＭＵ−ＭＩＭＯは、ｅＮＢが、同時に複数のユーザ（ユーザ・グループとも呼ばれる）にサービスし、複数のユーザのそれぞれが、空間多重化のために複数の送信するアンテナおよび受信するアンテナを有することを意味する。
【００３３】
ここで図２を参照すると、この図には、本発明の実施形態による方法の論理流れ図が示されている。図２の流れを、図１に示された無線通信システム環境１００を参照して詳細に説明する。
【００３４】
図２に、基地局ｅＮＢおよび例示的なユーザ機器ＵＥを示す。この図に示されているように、ステップＳ２０１では、ユーザ機器ＵＥで、ダウンリンク制御情報ＤＣＩを基地局ｅＮＢから受信する。上で述べたように、ＬＴＥ−ＡでアップリンクでＳＵ−ＭＩＭＯをサポートするためには、ＤＭ−ＲＳ多重化のために複数の循環シフトＣＳおよび／または直交カバー・コードＯＣＣをＵＥに送信する必要がある。現在のＬＴＥ−Ａ議論では、ＤＣＩフォーマットで、３ビット・フィールドが、初期送信に関するＤＭ−ＲＳ構成を示す循環シフト・インジケータＣＳＩを送信するために含まれる。この３ビット・フィールドは、循環シフトＣＳインデックスに対応し、この循環シフトＣＳインデックスは、最初のレイヤ（「レイヤ０としてマークされる）のＤＭ−ＲＳ構成にマッピングされる。
【００３５】
上で述べたように、ＬＴＥ  Ｒｅｌｅａｓｅ  １０では、循環シフトＣＳ分離は、主な多重化機構として働き、直交カバー・コードＯＣＣ分離は、ＤＭ−ＲＳの直交性を補完するためにタイム・スロットの間に導入される。ＤＭ−ＲＳの構成は、１つの循環シフトＣＳ値および１つのＯＣＣ値を含む。したがって、受信される循環シフト・インジケータＣＳＩは、最初のレイヤ（レイヤ０）について、循環シフトＣＳ値
【００３６】
【数１】
2013537767.tif 000003
およびＯＣＣ値（ｎＯＣＣ，０）にマッピングされる。
【００３７】
上のマッピング関係を、マッピング・テーブル内に直接に表し、基地局ｅＮＢおよびユーザ機器ＵＥ内に格納することができる。したがって、ユーザ機器ＵＥは、マッピング・テーブルを検索することによって、受信されたＣＳＩによって示されるＤＭ−ＲＳ構成を判定することができる。たとえば、表１に、本発明の実施形態による、初期送信のためのＣＳＩおよびＤＭ−ＲＳ構成の例示的なマッピング・テーブルを示す。当業者は、表１に示されたマッピング・テーブルが例示にすぎず、制限的ではないことを理解することができる。異なるマッピング・テーブルを、異なる必要およびある種のルールに従って構成することができる。
【００３８】
【表１】
2013537767.tif 000004
【００３９】
ｎＯＣＣ＝０の時には、対応するＯＣＣは［＋１  ＋１］であり、ｎＯＣＣ＝１の時には、対応するＯＣＣは［＋１  −１］である。
【００４０】
次に、ステップＳ２０２では、ユーザ機器ＵＥは、受信されたＣＳＩに基づいて、初期送信のために定義されたルールに従って、最初のレイヤのＤＭ−ＲＳ構成から残りのレイヤのＤＭ−ＲＳ構成を導出する。
【００４１】
ＬＴＥ−Ａでは、初期送信に関するそれぞれの空間レイヤのＤＭ−ＲＳのＣＳＩ選択モードが、既に決定されている。たとえば、次の事前に決定されたルールに従って、初期送信に関する残りの空間レイヤのＤＭ−ＲＳ構成が、初期送信に関する最初のレイヤのＤＭ−ＲＳ構成から導出される。
【００４２】
第ｋ（ｋ＝０，１，２，３）レイヤのＣＳに関して、ＣＳオフセット（Δｋ）に基づき、
【００４３】
【数２】
2013537767.tif 000005
に従ってＣＳを導出することができる。
−２つの空間レイヤに関して、ＣＳオフセット（Δｋ）は、それぞれ０，６（ｋ＝０，１）であり、
−４つの空間レイヤに関して、ＣＳオフセット（Δｋ）は、それぞれ０，６，３，９（ｋ＝０，１，２，３）であり、
−３つの空間レイヤに関して、ＣＳオフセット（Δｋ）は、さらに調査されなければならない。たとえば、ＣＳオフセット（Δｋ）を、｛０，６，３｝および｛０，４，８｝（ｋ＝０，１，２）から選択することができる。
【００４４】
第ｋ（ｋ＝０，１，２，３）レイヤのＯＣＣに関して、最初のレイヤ（ｋ＝０）のＯＣＣからＯＣＣを導出することができる。
−ｋ＝１に関して、ｎＯＣＣ，ｋ＝ｎＯＣＣ，０であり、
−ｋ＝２，３に関して、ｎＯＣＣ，ｋ＝１−ｎＯＣＣ，０である。
【００４５】
この形で、初期送信に関するそれぞれの空間レイヤのＤＭ−ＲＳ構成を、これらの所定のルールに従って導出することができる。
【００４６】
その後、ステップＳ２０３では、ユーザ機器ＵＥは、構成されたＤＭ−ＲＳに従うデータ送信、たとえば物理アップリンク共有チャネル（ＰＵＳＣＨ）上での送信を実行する。これが、データの最初の送信である。
【００４７】
基地局ｅＮＢが最初に送信されたデータを受信した後に、そのデータを復調することができる。たとえば、既知のＤＭ−ＲＳ構成を使用することによって、基地局ｅＮＢは、チャネルの位相および振幅などのパラメータの特性を判定するために、アップリンク・チャネルのチャネル推定を実行することができる。したがって、受信されたデータを、正しく復調することができる。
【００４８】
さまざまな符号化モードおよび変調モードによって、基地局ｅＮＢは、データが正しく受信されたかどうかを判定することができる。それに対応して、ステップＳ２０４では、ユーザ機器ＵＥは、基地局ｅＮＢからフィードバック信号ＡＣＫ／ＮＡＣＫを受信する。フィードバック信号がＮＡＣＫである場合には、これは、空間レイヤのデータが正しく受信されないことを意味し、ユーザ機器ＵＥは、そのデータを再送信しなければならない。
【００４９】
たとえば、ＨＡＲＱインジケータ・チャネル（ＰＨＩＣＨ）が、応答情報を搬送するためにＬＴＥで定義され、基地局ｅＮＢがユーザ機器ＵＥによって物理アップリンク共有チャネルＰＵＳＣＨ上で送信されたデータを正しく受信するかどうかを示す。
【００５０】
現在のＬＴＥシステムでは、上のステップＳ２０１〜Ｓ２０４は、すべてが明示的に定義されている。しかし、アップリンクでの非適応再送信に関して、ユーザ機器が再送信を実行する時に再送信されるそれぞれの空間レイヤのＤＭ−ＲＳをどのように構成すべきかに関する特定の解決策は、まだ提供されていない。
【００５１】
非適応再送信に関して、ユーザ機器ＵＥによってどの種類のＤＭ−ＲＳ構成が利用されなければならないのかを知らせる明示的なシグナリングはなく、したがって、ユーザ機器ＵＥは、具体的にどのように構成すべきかを知らない。また、ＨＡＲＱ再送信の際には、再送信されるレイヤの個数は、たとえばある符号語が正しく受信されるが他の符号語が正しく受信されない時に、変更される可能性がある。本発明の実施形態は、上の要因を考慮に入れ、ユーザ機器ＵＥが再送信時にＤＭ−ＲＳを構成するための複数の解決策を提供する。
【００５２】
本発明の実施形態によれば、ステップＳ２０５で、ユーザ機器ＵＥは、基地局ｅＮＢから受信されたフィードバック信号ＮＡＣＫに応答して、すなわち、基地局ｅＮＢから受信された再送信要求に応答して、再送信のためのＤＭ−ＲＳを構成する。
【００５３】
本発明の第１の実施形態では、再送信のためのＤＭ−ＲＳの構成は、初期送信のＤＭーＲＳと同一になるようにＤＭ−ＲＳを構成することを含むことができる。本発明の第１の実施形態を、例を用いて詳細に示す。
【００５４】
簡潔にするために、まず、ＳＵ−ＭＩＭＯシステムを考慮に入れる。ユーザ機器ＵＥ空間多重化のレイヤの個数が３である、すなわち、ＭＩＭＯのランクが３であり、基地局ｅＮＢから受信された循環シフト・インジケータＣＳＩが０００であると仮定する。表１に示されたマッピング・テーブルに従って、初期送信の最初のレイヤ（レイヤ０）のＤＭ−ＲＳ構成を、下のように判定することができる。
【００５５】
【数３】
2013537767.tif 000006
ＯＣＣ＝［＋１  ＋１］
【００５６】
次に、ユーザ機器ＵＥは、レイヤ０のＤＭ−ＲＳ構成および上で述べた初期送信について定義されたルールに従って、残りの２つのレイヤ（レイヤ１、レイヤ２）のＤＭ−ＲＳ構成を導出することができ、その結果は、表２−１に示されている。
【００５７】
【表２−１】
2013537767.tif 000007
【００５８】
ユーザ機器ＵＥは、表２−１のＤＭ−ＲＳ構成に従ってデータ送信を実行する。基地局ｅＮＢが、レイヤ０上で符号語を正しく受信するが、レイヤ１およびレイヤ２上の符号語が正しく受信されないと仮定すると、基地局ｅＮＢは、レイヤ１およびレイヤ２上の符号語を再送信する必要があることを示すためにユーザ機器ＵＥに応答メッセージを返す。
【００５９】
この時に、再送信要求に応答して、ユーザ機器ＵＥは、表２−２に示されているように、初期送信のＤＭ−ＲＳＭと同一になるように再送信のＤＭ−ＲＳを構成することができる。
【００６０】
【表２−２】
2013537767.tif 000008
【００６１】
表２−２で、再送信に関するレイヤの個数が２に変更されるので、その識別が、結果的にレイヤ０およびレイヤ１になるが、そのＤＭ−ＲＳ構成が、初期送信の際のレイヤ１およびレイヤ２（すなわち、再送信に関するレイヤ）のＤＭ−ＲＳ構成と同一であることに留意されたい。
【００６２】
明らかに、第１の実施形態を、標準化の労力を必要とせずに容易に実施することができる。しかし、その不利益も明らかであり、たとえば、再送信時のレイヤの個数の変化（レイヤの個数が減る）が考慮に入れられないので、最大ＲＳ分離を再送信のレイヤの間で達成することができないことがある。たとえば、上の表２−２では、２つのレイヤの間のＲＳ分離が、３である。
【００６３】
この理由から、本発明による第２の実施形態では、再送信のＤＭ−ＲＳは、初期送信の所定のルールによる再送信での送信状況の変化に関して再構成され、再送信での送信状況の変化は、たとえば、再送信に関するレイヤの個数の変化とすることができる。本発明による第２の実施形態を、下で例によって詳細に説明する。
【００６４】
同様に、ＳＵ−ＭＩＭＯシステムを、まず考慮に入れる。やはり、ユーザ機器ＵＥ空間多重化のレイヤの個数が３であり、基地局ｅＮＢから受信された循環シフト・インジケータＣＳＩが０００であると仮定する。表１に示されたマッピング・テーブルおよび初期送信について定義されたルールに従い、初期送信のレイヤのＤＭ−ＲＳ構成を、下の表３−１に示されているように判定することができる。
【００６５】
【表３−１】
2013537767.tif 000009
【００６６】
ユーザ機器ＵＥは、表３−１のＤＭ−ＲＳ構成に従ってデータ送信を実行する。同様に、レイヤ１およびレイヤ２上の符号語が再送信される必要があると仮定する。
【００６７】
この時に、再送信要求に応答して、ユーザ機器ＵＥは、初期送信の所定のルールに従って、再送信のレイヤに関する再送信についてＤＭ−ＲＳを構成することができる。この例に関する限り、再送信のレイヤの個数は２である。したがって、上で述べた導出ルールを参照すると、２つの空間レイヤに関して、ＣＳオフセット（Δｋ）は、それぞれ０，６（ｋ＝０，１）であり、表３−２に示された構成を入手することができる。
【００６８】
【表３−２】
2013537767.tif 000010
【００６９】
表３−２では、再送信に関するレイヤの個数が２なので、その識別が、結果的にレイヤ０およびレイヤ１になり、そのＤＭ−ＲＳ構成が、再送信に関するレイヤの個数（２である）に関する初期再送信の所定のルールに従って、当初に受信されたＣＳＩから導出されることに留意されたい。
【００７０】
第１の実施形態と比較して、第２の実施形態は、再送信時のレイヤの個数の変化（たとえば、レイヤの個数が減る）を考慮に入れることによって、初期送信に関するルールに従って再送信のＤＭ−ＲＳを再構成するので、異なるレイヤの間の最大ＲＳ分離を得ることができる。たとえば、上の表３−２では、２つのレイヤの間のＲＳ分離が、６である。第２の実施形態の不利益は、標準化の労力と、再送信のためにＯＣＣおよびＣＳを更新するための多少の処理の複雑さとの必要にある。しかし、そのようなコストは、無視することができる。
【００７１】
図２に戻って、ステップＳ２０５では、ユーザ機器ＵＥが、基地局ｅＮＢの再送信要求に応答して、本発明のいずれかの実施形態に従って再送信のためにＤＭ−ＲＳを構成する。その後、ステップＳ２０６では、ユーザ機器ＵＥが、データを再送信するのに、構成されたＤＭ−ＲＳを使用することができる。
【００７２】
基地局ｅＮＢが再送信されたデータを受信した後に、再送信のＤＭ−ＲＳ構成を使用して、データを復調するためにアップリンク・チャネルを推定することができる。同様に、初めて再送信されたデータは、部分的にまたは全体的に不正に受信され、もう一度再送信されることを必要とする可能性がある。今回は、ステップＳ２０４に示されているように、基地局ｅＮＢは、再送信を要求するためにユーザ機器ＵＥにフィードバック信号ＮＡＣＫを送信する。すべてのデータが既に正しく受信されるか、再送信の回数または送信持続時間が所定のしきい値に達するまで、ステップＳ２０５、Ｓ２０６、およびＳ２０４が繰り返される。
【００７３】
本発明の２つの例示的実施形態を、ＳＵ−ＭＩＭＯシステムと組み合わせて上で説明した。次に、本発明の実施形態を、ＭＵ−ＭＩＭＯシステムに鑑みて下で説明する。
【００７４】
ＭＵ−ＭＩＭＯシステムでは、基地局ｅＮＢは、複数のユーザ（ユーザ・グループとも呼ばれる）に同時にサービスし、ユーザのそれぞれは、空間多重化のために複数の送信するアンテナおよび受信するアンテナを有する。
【００７５】
アップリンクＭＵ−ＭＩＭＯに関して、同一のＯＣＣが、同一のユーザ機器ＵＥの異なるレイヤに適用されなければならず、これによって、異なるＯＣＣが異なるユーザ機器ＵＥに使用されることが可能になる。表４−１に、２つの空間レイヤがある、ＭＵ−ＭＩＭＯを考慮したＤＭ−ＲＳ構成の例を示す。
【００７６】
【表４−１】
2013537767.tif 000011
【００７７】
対照として、表４−２に、やはり２つの空間レイヤがある、ＳＵ−ＭＩＭＯを考慮したＤＭ−ＲＳ構成の例を示す。
【００７８】
【表４−２】
2013537767.tif 000012
【００７９】
このために、ＣＳＩが所定のルールに従って選択される時に同一のＯＣＣが同一のＵＥの２つのレイヤについて使用されることを保証するために、ＤＭ−ＲＳ構成およびＣＳＩのマッピング・テーブルを最適化する必要がある。
【００８０】
本発明による第１の実施形態が、たとえば表２−２に示された再送信に関するＤＭ−ＲＳ構成を参照することによって使用される時には、再送信に関する２つのレイヤ、レイヤ０およびレイヤ１が、異なるＯＣＣを使用し、その結果、ＵＥの間の直交性を保証できなくなることがわかる。
【００８１】
本発明による第２の実施形態が、表３−２に示された再送信に関するＤＭ−ＲＳ構成を参照することによって使用される時には、再送信に関する２つのレイヤ、レイヤ０およびレイヤ１が、同一のＯＣＣを使用し、その結果、２つのＵＥの間の直交性を保証できるようになることがわかる。
【００８２】
この２つの実施形態の両方が、上の表１に示されたＤＭ−ＲＳ構成およびＣＳＩのマッピング・テーブルに基づく。第１の実施形態では、初期送信のＤＭ−ＲＳ構成が維持されるので、ＤＭ−ＲＳ構成の選択範囲が非常に広く、これによって、異なるＯＣＣがＭＵ−ＭＩＭＯの対にされたユーザの間で使用されることを保証するためにＭＵ−ＭＩＭＯ−について最適化するために適切なマッピング・テーブルを設計することが困難になる。
【００８３】
表１のマッピング・テーブルから、このマッピング・テーブルが、同一のＯＣＣが６としてｎＤＭＲＳ分離を有する２つのレイヤの間で維持されるように設計されていることがわかる。したがって、２つのレイヤの送信に関するＤＭ−ＲＳ構成は、制限され、合計４つの対すなわち、（０，６）、（３，９）、（４，１０）、および（２，８）だけがある。
【００８４】
したがって、第２の実施形態では、そのような最適化されたマッピング・テーブルの使用は、同一のＯＣＣが同一のＵＥ内の２つのレイヤに使用されることを保証することができ、これによって、ＭＵ−ＭＩＭＯの２つのＵＥについて異なるＯＣＣを構成することを可能にすることができる。これは、ＤＭ−ＲＳの直交性を高め、ＭＵ−ＭＩＭＯの不均等な帯域幅割当に対して特に適する。
【００８５】
上の描写から、再送信に関するＯＣＣおよびＣＳ構成が、再送信に関する最大のＲＳ分離を保証するために注意深く考慮に入れられる必要があることがわかる。ＭＵ−ＭＩＭＯの対にされたユーザの間のＲＳ直交性が考慮される時には、好ましくは、第２の実施形態が、最大のＲＳ分離を保証し、マッピング・テーブルの設計を単純にするために選択される。
【００８６】
図３に、本発明の実施形態に従って本発明を実施する装置の例示的なブロック図を示す。
【００８７】
図３に示されているように、装置３００を、ユーザ機器ＵＥ内に配置することができ、装置３００は、受信する手段３０１、構成手段３０２、および送信する手段３０３を含む。
【００８８】
受信する手段３０１を使用して、基地局ｅＮＢによって送信されるさまざまな情報、たとえばダウンリンク制御情報ＤＣＩフォーマット０の循環シフト・インジケータＣＳＩおよびそのデータに関する応答情報ＡＣＫ／ＮＡＣＫを受信することができる。循環シフト・インジケータＣＳＩは、初期送信に関する最初のレイヤのＤＭ−ＲＳ構成を示す。
【００８９】
初期送信に関して、構成手段３０２は、初期送信に関する所定のルールに従って受信する手段３０１によって受信された循環シフト・インジケータＣＳＩに応答して、初期送信に関する残りのレイヤのＤＭ−ＲＳ構成を導出することができる。
【００９０】
ＨＡＲＱ再送信に関して、構成手段３０２は、受信する手段３０１によって受信された再送信要求（ＮＡＣＫ）に応答して、再送信に関するアップリンクＵＬ復調基準信号ＤＭ−ＲＳを構成することができる。
【００９１】
本発明による第１の実施形態では、構成手段３０１は、初期送信に関するＤＭ−ＲＳと同一になるように、再送信に関する復調基準信号ＤＭ−ＲＳを構成することができる。
【００９２】
本発明による第２の実施形態では、構成手段３０１は、初期送信に関する所定のルールによる再送信に関するレイヤの個数に関して、再送信に関するそれぞれのレイヤのＤＭ−ＲＳ構成を導出することができる。
【００９３】
これらのＤＭ−ＲＳ構成は、ＤＭ−ＲＳの循環シフトＣＳおよび直交カバー・コードＯＣＣを含むことができる。
【００９４】
送信する手段３０３は、構成手段３０２の構成に従ってデータを送信しまたは再送信することができる。
【００９５】
当業者は、上のさまざまな方法のステップを、プログラミング・コンピュータによって実行できることを容易に理解することができる。このテキストで、いくつかの実施形態は、プログラム・ストレージ・デバイス、たとえば、機械可読またはコンピュータ可読であり、機械実行可能命令プログラムまたはコンピュータ実行可能命令プログラムを用いてプログラムされるものとすることができるディジタル・データ記憶媒体を包含することが意図されており、これらの命令は、上の方法のステップの一部またはすべてを実行する。プログラム記憶媒体は、たとえば、ディジタル・ストレージ、磁気記憶媒体（磁気ディスケットまたは磁気テープなど）、ハード・ドライバ、または光可読ディジタル・データ記憶媒体とすることができる。実施形態は、上の方法のステップを実行するようにプログラムされたコンピュータを包含することも意図されている。
【００９６】
本発明をより理解できるものにするために、上の説明が、当業者に既知であるが本発明を実施するために必須である可能性がある、いくつかのより具体的な技術的詳細を省略していることに留意されたい。
【００９７】
当業者は、これらの実施形態が例示的であり、限定的ではないことを理解するに違いない。異なる実施形態に現れる異なる技術的特徴を組み合わせて、有利な効果を達成することができる。当業者は、図面、本明細書、および特許請求の範囲に対する調査に基づいて、本明細書に示された実施形態の他の変形形態を理解し、実施するに違いない。これらの特許請求の範囲では、用語「ｃｏｍｐｒｉｓｉｎｇ（含む）」は、他の手段またはステップを除外せず、不定冠詞「ａ／ａｎ」は、複数を除外しない。特許請求の範囲のすべての符号は、保護範囲を制限すると理解されてはならない。特許請求の範囲に現れる複数の部分の機能を、個々のハードウェアまたはソフトウェア・モジュールによって実行することができる。異なる従属請求項のある技術的特徴の出現は、これらの技術的特徴を組み合わせて有利な影響を達成できないことを意味しない。
【００９８】
したがって、実施形態は、本発明の原理およびその実際の応用例をよりよく解釈するために選択され、説明され、当業者が、本発明の本質から逸脱しないすべての修正形態および変形形態が添付の特許請求の範囲によって定義される本発明の保護範囲に含まれることを理解することを可能にするものである。
【図１】
2013537767.tif 000013
【図２】
2013537767.tif 000014
【図３】
2013537767.tif 000015
【国際調査報告】
2013537767.tif 000016
2013537767.tif 000017
2013537767.tif 000018